(57)【要約】本発明はマルチメディア取得、登録及び管理システムと方法に関するものである。本発明のマルチメディアシステムは、マルチメディア眼鏡のようにマルチメディアデータ取得のためのデータ取得モジュール（Ａ）、取得されたマルチメディアデータを記録、保存、管理及び／または共有、伝送及び／またはストリーミングする機能を制御するためのデータ処理ユニットを含むコンピュータモジュール（Ｂ）、及び前記データ取得モジュールをコンピュータモジュールに連結する少なくとも一つの接続モジュールを含む。選択的に、前記システムは、マルチメディアデータ処理モジュール（Ｄ）、またコンピュータモジュール（Ｂ）及び／または周辺装置（Ｐ）に連結するための更なる接続モジュール（Ｃ）をさらに含むことができる。本発明のまた他の側面から、マルチメディアデータの処理、保存、記録、編集及び管理のためのユニットとマルチメディアデータライブラリ（ＭＬ）を含むマルチメディアデータ処理モジュール（Ｄ）に対して述べる。本発明はマルチメディア装置分野に関するものであって、専門的或はレクリエーション領域においてマニュアル詳細化作業を記録する必要のある分野に適用することに有用である。
2020509522.tif 000002
【特許請求の範囲】
【請求項１】
マルチメディア取得、登録及び管理するためのマルチメディアシステムであって、マルチメディアデータ取得のための少なくとも一つのデータ取得モジュール（Ａ）、少なくとも一つのモジュール（Ａ）で取得したマルチメディアデータを記録、保存、管理及び／または共有、伝送及び／またはストリーミングする機能を制御するための少なくとも一つのコンピュータモジュール（Ｂ）、及び前記マルチメディアデータ取得モジュール（Ａ）を前記コンピュータモジュール（Ｂ）及び／または少なくとも一つのマルチメディアデータ処理モジュール（Ｄ）、及び／または少なくとも一つの周辺装置（Ｐ）に連結する少なくとも一つの接続モジュール（Ｃ１）を含み、
ここで前記データ取得モジュール（Ａ）はマルチメディア眼鏡装置であって、この装置は：
− フレーム（１）とレンズ（１０、１１）；
− 静止及び／または動的イメージをキャプチャすることができ、多様な記録モードを認知するカメラ（６）であって、前記カメラは前記眼鏡フレーム（１）とレンズ（１０、１１）に対するカメラの角度及びユーザの視点に合わせてカメラの視点を変更するか、ユーザのジェスチャ−或は音声−コマンドに応答してモーションピクチャ（動画）のキャプチャ及びイメージ（写真）キャプチャを開始、中止及び再開するように信号を発生するか、またはブックマークを追加する操作を可能とする少なくとも一つのモータ（８）に取り付けられているものであるカメラ；
− 光信号装置から放出する光の焦点角度を変更し、カメラの視野をズームイン（拡大）及びズームアウト（縮小）することができる光学機構；
− ユーザの音声をキャプチャする骨トランスデューサ（２）形態のマイクとスピーカを含み、また記録位置、例えば、記録モードの開始と中止に関する指示を出し、カメラの視点を信号で表す照明装置をオンまたはオフし、ビデオに音声ハイライト（ｈｉｇｈｌｉｇｈｔ）を追加することにより、ユーザがコンピュータモジュール（Ｂ）を介してスマート眼鏡装置と相互疎通することができるようにするオーディオシステムであって、ここで前記スピーカは、マイクを介して受けた指示に応じてコンピュータモジュール（Ｂ）からユーザにフィードバックを提供し、追ってどのようなコマンドが実行されるか確認するものであるオーディオシステム；
− ユーザの頭の位置を確認して利用可能な眼鏡モード間の自動転換がなされるようにする少なくとも一つの慣性センサ；
− カメラ（６）の記録状態に対する信号を発生する第１照明装置（５）及び記録視点の確認のための第２照明装置；
− 接続モジュール（Ｃ１）を含み；及び
− データ取得モジュール（Ａ）で取得したデータを記録、保存、管理及び／または共有、伝送及び／またはストリーミングする機能を制御するデータ処理ユニットを含むコンピュータモジュール（Ｂ）であって、このモジュール（Ｂ）は：
− データ取得モジュール（Ａ）及び／またはこのモジュールのタッチスクリーン及び／またはキーボードを介してユーザが提供する指示に応答することができ、またネットワークを介して認証者が遠隔で制御することができ；
− 少なくとも一つのデータ取得モジュール（Ａ）の機能、特に、動画キャプチャ及びイメージ（写真）キャプチャを開始、中止及び再開するか、関心視点をブックマークする機能を制御し；及び
前記モジュール（Ｂ）はまた：
− 記録に先立って、確認可能な人物に関連した機密データのキャプチャを避け、また検出された顔面をリアルタイムでカバー（保護）するために人物確認を防止或は遮断する機能がある顔面検出システム用コンピュータ映像アルゴリズムを含み；及び
− 前記コンピュータモジュール（Ｂ）をマルチメディアデータ取得モジュール（Ａ）に連結する少なくとも一つの接続モジュール（Ｃ１）、前記コンピュータモジュール（Ｂ）を少なくとも一つのマルチメディアデータ処理モジュール（Ｄ）及び／または少なくとも一つの周辺装置（Ｐ）に連結する接続モジュール（Ｃ２）を具備するものである、マルチメディアシステム。
【請求項２】
マルチメディアデータを保存、記録、処理、編集、管理及び／または共有、伝送及び／またはストリーミングする少なくとも一つのマルチメディアデータ処理モジュール（Ｄ）をさらに含むものである、請求項１に記載のマルチメディアシステム。
【請求項３】
少なくとも一つの周辺装置（Ｐ）をさらに含むものである、請求項１または２に記載のマルチメディアシステム。
【請求項４】
前記モジュール（Ａ）はレンズを取り外し及び交換するためのシステムを含むものである、請求項１に記載のマルチメディアシステム。
【請求項５】
前記モジュール（Ａ）は耐水性コーティング或は遮水コーティングを含むものである、請求項１に記載のマルチメディアシステム。
【請求項６】
前記モジュール（Ａ）は、眼鏡の保護レンズの後に装着された内部レンズを有する防雲機構を含み、この防雲機構は防曇レンズの縁に接着材料を用いて形成したものであって、保護レンズと防曇レンズとの間に含有された薄い空気層を有するものである、請求項１に記載のマルチメディアシステム。
【請求項７】
前記モジュール（Ａ）とモジュール（Ｂ）との間の接続モジュール（Ｃ１）はＹ型ケーブル接続である、請求項１に記載のマルチメディアシステム。
【請求項８】
前記コンピュータモジュール（Ｂ）は自律的なエネルギ源を含む携帯型或は移動型装置である、請求項１に記載のマルチメディアシステム。
【請求項９】
前記エネルギ源（電力供給源）がバッテリである、請求項９に記載のマルチメディアシステム。
【請求項１０】
前記コンピュータモジュール（Ｂ）はタッチスクリーンを含むものである、請求項１に記載のマルチメディアシステム。
【請求項１１】
前記処理モジュール（Ｄ）は、マルチメディアデータを保存、記録、処理、編集、管理及び／または共有、伝送及び／またはストリーミングするデータ処理ユニット、前記マルチメディアデータ処理モジュール（Ｄ）を少なくとも一つのコンピュータモジュール（Ｂ）に連結する接続モジュール（Ｃ２）及び／または前記処理モジュール（Ｄ）を少なくとも一つの周辺装置（Ｐ）に連結する接続モジュール（Ｃ３）、またマルチメディア取得、登録及び／または管理方法を実行するコンピュータプログラムを含み、ここで前記方法は：
（ａ）少なくとも一つのデータ取得モジュール（Ａ）からマルチメディアデータを取得し；
（ｂ）少なくとも一つのモジュール（Ａ）で取得したデータを接続モジュール（Ｃ１）を介して少なくとも一つのコンピュータモジュール（Ｂ）に送信、伝送及び／またはストリーミングし；
（ｃ）接続モジュール（Ｃ２）を介して少なくとも一つのコンピュータモジュール（Ｂ）から少なくとも一つの処理モジュール（Ｄ）にデータを送信、共有、伝送及び／またはストリーミングし；
（ｄ）受信されたマルチメディアデータを少なくとも一つの処理モジュール（Ｄ）及び／または、例えば、フロッピーディスク、ＤＶＤ、ブルーレイ（Ｂｌｕ−Ｒａｙ）、ＣＤ、ＲＯＭ、ＰＲＯＭ、ＥＰＲＯＭ、ＥＥＰＲＯＭ或はフラッシュメモリなどのように、プログラム可能なコンピュータシステムと協働することができる電子式の読み取り可能な制御信号を有する少なくとも一つのデータ保存ユニットに保存、登録、処理、編集及び／または管理し；
（ｅ）選択的に、前記マルチメディアデータを接続モジュール（Ｃ３）を介して少なくとも一つの周辺装置（Ｐ）及び／または少なくとも一つの他の処理モジュール（Ｄ）に共有、伝送及び／またはストリーミングし；及び
（ｆ）選択的に、マルチメディアデータライブラリ（ＭＬ）を創出するステップを含む、請求項２に記載のマルチメディアシステム。
【請求項１２】
前記処理モジュール（Ｄ）は、フロッピーディスク、ＤＶＤ、ブルーレイ（Ｂｌｕ−Ｒａｙ）、ＣＤ、ＲＯＭ、ＰＲＯＭ、ＥＰＲＯＭ、ＥＥＰＲＯＭ或はフラッシュメモリなどのように、プログラム可能なコンピュータシステム及び／またはマルチメディアデータ処理機と協働することができる電子式の読み取り可能な制御信号を有するデータ保存ユニットに記録されたマルチメディアデータを具備したマルチメディアライブラリ（ＭＬ）を含み、ここで前記マルチメディアデータは少なくとも一つのマルチメディアデータ取得モジュール（Ａ）、好ましくは本発明のマルチメディア眼鏡によりマルチメディアイベント記録から好ましく収得されたものである、請求項１３に記載のマルチメディアシステム。
【請求項１３】
マルチメディア取得、登録及び／または管理方法であって、
（ａ）少なくとも一つのコンピュータモジュール（Ｂ）により制御されるマルチメディア眼鏡形態の少なくとも一つのデータ取得モジュール（Ａ）からマルチメディアデータを取得し；
（ｂ）少なくとも一つのモジュール（Ａ）で取得した前記データを少なくとも一つの接続モジュール（Ｃ１）を介して少なくとも一つのコンピュータモジュール（Ｂ）に送信、伝送及び／またはストリーミングし；
（ｃ）選択的に、少なくとも一つの接続モジュール（Ｃ２）を介して少なくとも一つのコンピュータモジュール（Ｂ）から少なくとも一つの処理モジュール（Ｄ）に前記データを送信、共有、伝送及び／またはストリーミングし；
（ｄ）選択的に、受信されたマルチメディアデータを少なくとも一つの処理モジュール（Ｄ）及び／または、例えば、フロッピーディスク、ＤＶＤ、ブルーレイ（Ｂｌｕ−Ｒａｙ）、ＣＤ、ＲＯＭ、ＰＲＯＭ、ＥＰＲＯＭ、ＥＥＰＲＯＭ或はフラッシュメモリなどのように、プログラム可能なコンピュータシステムと協働することができる電子式の読み取り可能な制御信号を有する少なくとも一つのデータ保存ユニットに登録、処理、編集及び／または管理し；
（ｅ）選択的に、前記マルチメディアデータを少なくとも一つのモジュール（Ｄ）から接続モジュール（Ｃ３）を介して少なくとも一つの周辺装置（Ｐ）及び／または少なくとも一つの他の処理モジュール（Ｄ）に共有、伝送及び／またはストリーミングし；及び／または
（ｆ）選択的に、マルチメディアデータライブラリ（ＭＬ）を創出するステップを含むものである方法。
【請求項１４】
前記ステップ（ｆ）のマルチメディアライブラリ（ＭＬ）はアクセスが制限されており、デジタルフォーマットされているものである、請求項１５に記載の方法。
【請求項１５】
マルチメディア眼鏡装置（Ａ）であって、この装置は：
− フレーム（１）及びレンズ（１０、１１）；
− 静止及び／または動的イメージをキャプチャすることができ、多様な記録モードを認知するカメラ（６）であって、前記カメラは前記眼鏡フレーム（１）及びレンズ（１０、１１）に対するカメラの角度及びユーザの視点に合わせてカメラの視点を変更するか、ユーザのジェスチャ−或は音声−コマンドに応答してモーションピクチャ（動画）のキャプチャ及びイメージ（写真）キャプチャを開始、中止及び再開するように信号発生するか、またはブックマークを追加する操作を可能とする少なくとも一つのモータ（８）に取り付けられているものであるカメラ；
− 光信号装置から放出する光の焦点角度を変更し、カメラの視野をズームイン（拡大）及びズームアウト（縮小）することができる光学機構；
− ユーザの音声をキャプチャする骨トランスデューサ（２）形態のマイクとスピーカを含み、また記録位置、例えば、記録モードの開始と中止に関する指示を出し、カメラの視点を信号で表す照明装置をオンまたはオフし、ビデオに音声ハイライト（ｈｉｇｈｌｉｇｈｔ）を追加することにより、ユーザがコンピュータモジュール（Ｂ）を介してスマート眼鏡装置と相互疎通することができるようにするオーディオシステムであって、ここで前記スピーカは、マイクを介して受けた指示に応じてコンピュータモジュール（Ｂ）からユーザにフィードバックを提供し、追ってどのようなコマンドが実行されるか確認するものであるオーディオシステム；
− ユーザの頭の位置を確認して利用可能な眼鏡モード間の自動転換がなされるようにする少なくとも一つの慣性センサ；
− カメラ（６）の記録状態に対する信号を発生する第１照明装置（５）及び記録視点の確認のための第２照明装置；及び
− 接続モジュール（Ｃ１）を含むものである装置。
【発明の詳細な説明】
【技術分野】
【０００１】
本発明はマルチメディア取得、登録及び管理のためのシステム及び方法に関する。マルチメディア装置分野の一部であって、本発明は専門的或はレクリエーション領域においてマニュアル詳細化作業を記録する必要がある場合、及び記録することにより技術伝播に有益なコンテンツに有用に適用することができる。これは、医学、教育、社会保障、軍事、エンジニアリング及び工芸活動などの分野に特に重点を置くことができる。従って、本発明は新規の記録、管理及び学習方法を創出するのに有用である。
【背景技術】
【０００２】
従来技術において、既存のマルチメディア取得、登録及び／または管理システムを専門的或はレクリエーション側面で用いることができるという点は公知の事実である。眼鏡（またスマート眼鏡としても知られた）で構成されたマルチメディアシステムは、例えば、ＵＳ２０１６／０２８６１１５、ＷＯ２０１４／１９７１０９、ＵＳ２０１５／００９３０９及びＣＮ２０３５５１８８３などに開示されたように既に公知されている。
【０００３】
このようなシステムの殆どは、内蔵型イメージキャプチャカメラが具備されたものであって、特定の機能性を発揮するのに特化されたスマート眼鏡、及び取得したイメージを投射機に伝送する伝送機を含む。
【０００４】
ＵＳ２０１６／０２８６１１５は、前方の視野からイメージをキャプチャするカメラ、前記イメージをモバイル機器のモニタに伝送する手段として前記モニタのウィンドウの一部にイメージがディスプレイされる手段、及びモバイル機器或はユーザの頭や目の各方向の位置と関係ない方式で、均衡錘やある作動メカニズムを実行して前記カメラを前方視野に配置する構成要素を含むマルチメディアシステムを開示している。また、イヤホンやスピーカが具備されたオーディオシステムをここに統合することも言及している。一方、カメラがイメージキャプチャを開始するか終了すること、または対象体に焦点を合わせるように自動コマンド、或はユーザが入力するコマンド形式は開示されていない。また、魚眼レンズを用いることと記録用（通常的に「録画または録音」）スクリーンの一部を選択することも開示されている。このような選択は、イメージの中心距離に応じて解像度が変化するという限界点がある。これはモータを用いる代わりに、記録されたイメージの領域全体が詳細事項の記録に有用ではないということを意味する。要約すれば、前記文献は、装置の概念的特徴のみを述べたものに過ぎず、即ち、前述の複数の構成要素が装置内に統合される方式や、または眼鏡の製作に関連する技術的難点、言わば、腹腔鏡手術、外科医者と滅菌装備間の相互疎通など、医学的分野で用いるためにキャプチャしたイメージの精度に関連した諸問題を解決する方案などに対しては開示していない。さらに、カメラがキャプチャしたイメージを前記システムがスクリーンに供給するため、ユーザはディスプレイされたイメージを見ることに過ぎない。即ち、ユーザが装置のスクリーンを見つめるようになるため、前記公知のシステムを本発明と同じ方式で用いることはできない。
【０００５】
公知の文献ＷＯ２０１４／１９７１０９は、赤外線イメージを透明ディスプレイスクリーン上に投射する眼鏡を開示している。前記眼鏡は、少なくとも２つのチャンバを含み、このそれぞれのチャンバが好ましくは周辺環境から赤外線イメージをキャプチャするものである立体ビデオカメラ機器及び投射システムで構成され、この時の投射システムは、（ｉ）左目の視野の中で透明部上に第１赤外線イメージ；及び（ｉｉ）右目の視野の中で透明部上に第２赤外線イメージをそれぞれ投射する。この眼鏡は、夜間視野のように照度の低い条件でも自然視野を保持しながらユーザが周辺環境を見ることができる。このために、手動調整または電気力学的調整システムを介して配置されることができるカメラを提案する。このカメラは、２つのチャンバの収束性或は発散性を変化させて、キャプチャイメージをスクリーンの透明ビューファインダ上に投射する時、深さが変化する３次元的効果及びそれぞれ異なる距離にある事物に向かう目の移動と類似した効果を提供する。しかしながら、イメージをキャプチャするために垂直方向に調整することに対する言及はない。さらに、音声制御機構は提供していない。従って、このシステムは本発明と非常に異なり、同じ目的で用いることができない。
【０００６】
ＵＳ２０１４／２２１７８５（Ｇｏｏｇｌｅ  Ｔｅｃ．  Ｈｏｌｄｉｎｇｓ  ＬＬＣ）では、スマート眼鏡をメッセージ装置として用いることができることを開示しており、これは、手や指の動きを検出してソーシャルメディア方式で入力することによりユーザを認証し、音声メッセージをソーシャルメディアの文字メッセージに転換する機能をする。従って、この装置は、動きを感知する機構、マイク、音声メッセージをディスプレイ上に文字メッセージに変換させる応用プログラム（アプリケーション）で構成される。前記文献では、マルチメディアデータを取得するための、音声により制御される調整可能なビデオカメラに対しては開示していない。言い換えれば、前記装置は本発明とは非常に異なり、従って、同じ目的で用いることができない。
【０００７】
ＵＳ２０１３／４３７８５４（ＧｏＰｒｏ  Ｉｎｃ．）は、少なくとも２台のカメラから得た２Ｄ−イメージからビデオ用３Ｄ−イメージを生成するシステム及び方法に対して開示している。このシステムは、本発明の装置とスマート眼鏡にカメラが具備された特徴を共有することに過ぎない。
【０００８】
医療の目的で使用可能な眼鏡を含むマルチメディアシステムは、ＷＯ２０１６／１９５４０１  Ａ１、ＷＯ２０１６／１９０６０７  Ａ１及びＷＰ２０１６／１８２０９０  Ａ１に開示されている。
【０００９】
前記文献のうちＷＯ２０１６／１９５４０１  Ａ１は、ヘッド装着型光学ディスプレイ（ＨＭＤ）及びデータをＨＭＤに無線で伝送するために、患者の体内或は表面に装着する少なくとも３つのセンサからなるシステムを開示している。ＨＭＤは、眼鏡の内部に組み込まれたおり、患者の体に対する外科的視野を前記センサ群から取得した３Ｄデータと併用して手術の際に医者をサポートすることができる。
【００１０】
ＷＯ２０１６／１９０６０７  Ａ１文献では、イメージディスプレイ装置、イメージ処理モジュール、イメージキャプチャ用カメラ、取得されたイメージをイメージ処理モジュールに伝送する通信ユニット、近赤外線（ＮＩＲ）分光モジュール、及びＮＩＲでキャプチャしたイメージをイメージ処理モジュールに伝送する通信モジュールを具備した眼鏡を含むマルチメディアシステムを開示している。このシステムは、蛍光イメージを発生させて外科医が手術対象部位の蛍光イメージをリアルタイムで監督することができるようにし、従って、手術をする間リアルタイムで病理状態を確認することができる。
【００１１】
ＷＯ２０１６／１８２０９０文献では、眼鏡型ターミナル、映像ディスプレイユニット、写真撮影カメラ、外部環境に対するユーザの目をキャプチャするセンサユニット、及び物体を特定するためにユーザの目を分析する制御ユニットからなるマルチメディアシステムを開示している。
【００１２】
現在、イメージ取得の柔軟性、ユーザとの相互疎通の容易性、データ伝送及び自律性の側面から最も機能性の高いマルチメディア眼鏡やスマート眼鏡は、ＰｉｖｏｔｈｅａｄR社で市販する製品である。これらは、視点が固定されて鼻梁に置かれるビデオカメラを含む。ユーザと装置間の相互疎通はタッチ方式及び眼鏡フレームの後面に位置したＬＥＤを介した状態表示により行われる。
【００１３】
このような公知のマルチメディア眼鏡はいずれも、ユーザの音声に応答して調整することができ、行われた作業を正確かつ精密に記録するために、ユーザの視点に合わせてカメラの視点を能動的に変更する試みがない。
【００１４】
前述のような公知のスマート眼鏡は、ユーザの要求に応じる、例えば、手動記録モード及び風景モードなどに適合した多様な記録モードを自動的に認知する機能がない。
【００１５】
また、従来技術の公知されたマルチメディア眼鏡は、記録に先立って顔面を検出及びこれをリアルタイムでカバー（保護）する検閲機構を具備するものがない。
【００１６】
また他の側面から、既存装置の中では、映像領域や視点領域をリアルタイム信号化（或は信号発生）する機構を具備するものがない。
【００１７】
さらに、従来技術によるマルチメディア眼鏡は、カメラの視点の調整、モーションピクチャ（動画）のキャプチャ及びイメージ（写真）キャプチャの開始、中止及び再開、またはブックマークの追加などに関するユーザの音声或はジェスチャコマンドに応答しない。
【００１８】
従って、専門的或はレクリエーション環境で使用可能なマルチメディアデータの取得、登録及び管理システム及び方法の開発が求められる。
【発明の概要】
【発明が解決しようとする課題】
【００１９】
本発明は、マルチメディア取得、登録及び管理のためのシステム及び方法に関する。
【００２０】
本発明のマルチメディアシステムは、データ取得モジュール、好ましくは、マルチメディアデータ取得のためのマルチメディア眼鏡である所謂スマート眼鏡、取得されたマルチメディアデータを記録、保存、管理及び／または共有する機能を制御するためのデータ処理ユニットを含むコンピュータモジュール、及び前記データ取得モジュールをコンピュータモジュールに連結し、またマルチメディアデータを共有、伝送及び／またはストリーミングする少なくとも一つの接続モジュールを含む。
【００２１】
選択的に、このマルチメディアシステムは、マルチメディアデータを保存、記録、処理、編集、管理、共有、伝送及び／またはストリーミングするマルチメディアデータ処理モジュール、及びデータ取得モジュール及び／またはコンピュータモジュールに連結する少なくとも一つの更なる接続モジュールをさらに含むことができる。
【００２２】
本発明のマルチメディアシステムは、マルチメディアデータライブラリをさらに含むことができる。
【課題を解決するための手段】
【００２３】
従って、第１の態様において、本発明は、特許請求の範囲の請求項１によるマルチメディア取得、登録及び管理システムに関する。
【００２４】
データ取得モジュールＡは、眼鏡フレームに処理機能とエネルギ保存機能が統合されている既存の代案と比較する時、さらに優れた性能と自律性を有したものであって、非局在化したコンピュータモジュールＢと連携してユーザの視点に合わせてカメラの視点を変更する機能を有するマルチメディア眼鏡であり、これを用いれば、高い処理能力及び自律性が裏付けられる高い差別性のマルチメディア記録が可能である。この記録は、また編集、管理、カタログ化及びマルチメディアデータ処理モジュールＤに保存されて、アクセス容易性の向上と記録の諮問、個別及び共有メディアライブラリの創出に繋がる。
（そのような記録へのアクセスおよび相談がより容易になり、個別の共有可能なメディアライブラリが作成される）
【００２５】
タッチ式インタフェースなしで及び調整可能な視点を伴って操作することができる前記眼鏡は、この装置の多才多能性をさらに増大させて周辺環境の多様な要求に適切に対応することができる。照明装置を撮影領域の信号発生機構として選好的に用いることにより、関連する記録領域の境界を決定することができる。
【００２６】
人体工学性を低下させずに、機能性及び自律性をさらに向上するために、全てのコンピュータ入力及びエネルギ保存はさらに大きい体積を利用することができる眼鏡フレームの外部で行われる。
【００２７】
本発明はまた、請求項２によるデータ処理モジュールＤを含むマルチメディアシステムに関するものであって、このシステムは、マルチメディアライブラリＭＬを保存することができ、及び／または請求項３による少なくとも一つの周辺装置Ｐを含む。
【００２８】
例えば、コンピュータに内蔵されたマルチメディアデータ処理モジュールを利用すれば、大規模のデータを管理、保存及び共有することができ、処理ユニットよりさらに優れた性能及び更なる容易性を達成する。
【００２９】
マルチメディアライブラリが存在すれば、ユーザはカスタマイズすることができ、また保存されたコンテンツに、より迅速且つ容易にアクセスすることができ、このようなコンテンツは個人化された方式でタグ及びカタログ化されている。
【００３０】
最後に、本発明は請求項１５によるマルチメディア取得、登録及び管理方法に関する。
【発明の効果】
【００３１】
本発明のマルチメディアデータ取得及び記録方法は、登録の正確性を高め、マルチメディア情報が意志に反して損失されることを最小化するために、ユーザの視点に合わせた所定の動的（ｄｙｎａｍｉｃ）視点でイメージをキャプチャすることができる。さらに、取得されたマルチメディアデータの記録、保存、管理及び／または共有などの機能を制御するデータ処理ユニットを含むコンピュータモジュール、及び／またはデータを選択的に及び客観的に保存、管理、編集及び共有することができるようにするマルチメディアデータ処理モジュールに前記データを選択的に伝達することができる。
【図面の簡単な説明】
【００３２】
【図１】本発明のマルチメディアシステムの概路図であって、ここで（Ａ）は少なくとも一つのデータ取得モジュール、（Ｂ）は少なくとも一つのコンピュータモジュール、及び（Ｃ１）は前記少なくとも一つのモジュールＡとモジュールＢの間の少なくとも一つの接続モジュールを示す。
【図２】本発明の好ましい具現例の概路図であって、ここで（Ａ）はデータ取得モジュール、（Ｂ）はコンピュータモジュール、（Ｃ１）は前記モジュールＡとモジュールＢの間の接続モジュール、（Ｄ）は少なくとも一つのマルチメディアデータ処理モジュール、（Ｃ２）は前記少なくとも一つのモジュールＢと少なくとも一つのモジュールＤの間の少なくとも一つの接続モジュール、（Ｐ）は例えば、互いに同一または異なるようにモニタ、プリンタ、また他のモジュールＤ及び／または遠隔制御装置などの少なくとも一つの周辺装置、及び（ＭＬ）は少なくとも一つのマルチメディアライブラリを示す。
【図３】本発明の好ましい具現例を示しており、ここでマルチメディアデータ取得モジュールＡはマルチメディア眼鏡装置であって、ここで：（１）は眼鏡のフレーム；（２）は音響フィードバックシステムであって例えば骨トランスデューサ；及び（３）はマルチメディア眼鏡のテンプル部をそれぞれ示す。
【図４】本発明の好ましい具現例によるマルチメディア眼鏡の構成要素のうち一部を示しており、ここで：（１）はフレーム；（４）は前方部のカバー；（５）は記録状態の信号発生機構；（６）はカメラ及びカメラの視点を確認する照明機構が具備されたモータ駆動プラットフォーム；（７）は眼鏡体の後方壁；（８）はプラットフォームドッキングモータ；（９）はプラットフォームの回転軸と同期するヒンジ機構；（１０）は眼鏡の左側レンズ；（１１）は眼鏡の右側レンズ；（１２）は眼鏡の左側鼻梁；（１３）は眼鏡の右側鼻梁；及び（１４）はカメラ保護カバーを示す。
【図５】図５．１〜図５．６に区分され、本発明の好ましい具現例の中の一つによるマルチメディアライブラリのインタフェースの一部を示す。
【発明を実施するための形態】
【００３３】
第１の態様において、本発明は、マルチメディア取得、登録及び管理のためのマルチメディアシステムに関する。
【００３４】
１．マルチメディアシステム
本発明のマルチメディアシステム（図１参照）は、マルチメディアデータ取得のための少なくとも一つのデータ取得モジュールＡ、データ処理ユニットを具備し、少なくとも一つのモジュールＡで取得したマルチメディアデータを記録、保存、管理及び／または共有、伝送及び／またはストリーミングする機能を制御するための少なくとも一つのコンピュータモジュールＢ、及び少なくとも一つのマルチメディアデータ取得モジュールＡを前記少なくとも一つのコンピュータモジュールＢに連結する少なくとも一つの接続モジュールＣ１を含む。
【００３５】
選択的に、図２に示すように、前記システムはマルチメディアデータを保存、記録、処理、編集、管理及び／または共有するための少なくとも一つのマルチメディアデータ処理モジュールＤ、及び前記少なくとも一つのマルチメディアデータ処理モジュールＤを少なくとも一つのコンピュータモジュールＢに連結する一つ以上の接続モジュールＣ２をさらに含むことができる。
【００３６】
選択的に、また図２に示すように、前記システムは一つ以上の周辺装置Ｐ、及び前記一つ以上の周辺装置Ｐを少なくとも一つのコンピュータモジュールＢ及び／または少なくとも一つのマルチメディアデータ処理モジュールＤに連結する少なくとも一つの接続モジュールＣ３をさらに含むことができる。
【００３７】
本発明の範囲において、前記周辺装置Ｐは、例えば、互いに同一または異なるようにモニタ、キーボード、プリンタ、遠隔制御装置及び／または遠隔サーバなどであってもよい。
【００３８】
好ましい一具現例において、本発明のマルチメディアシステムは：
− マルチメディアデータ取得のための少なくとも一つのデータ取得モジュールＡ；
− データ処理ユニットを具備し、少なくとも一つのデータ取得モジュールＡで取得したマルチメディアデータを記録、保存、管理及び／または共有、伝送及び／またはストリーミングする機能を制御する少なくとも一つのコンピュータモジュールＢ；
− 少なくとも一つのマルチメディアデータ取得モジュールＡを少なくとも一つのコンピュータモジュールＢに連結する少なくとも一つの接続モジュールＣ１；
− マルチメディアデータを保存、記録、処理、編集及び管理、及び／または共有するための少なくとも一つのマルチメディアデータ処理モジュールＤ；
− 少なくとも一つのモジュールＤを少なくとも一つのコンピュータモジュールＢに連結する少なくとも一つの接続モジュールＣ２；及び／または
− モニタ、キーボード、プリンタ及び／または遠隔制御装置などの一つ以上の周辺装置Ｐ；
− 前記一つ以上の周辺装置Ｐを接続モジュールＣ３を介して少なくとも一つのコンピュータモジュールＢ及び／または少なくとも一つのマルチメディアデータ処理モジュールＤに連結するための少なくとも一つの更なる接続モジュールＣ３を含む。
【００３９】
さらに好ましい一具現例において、本発明のマルチメディアシステムは：
− マルチメディアデータ取得のためのデータ取得モジュールＡとしての本発明の少なくとも一つのマルチメディア眼鏡；及び／または
− データ処理ユニットを具備し、少なくとも一つのモジュールＡで取得したマルチメディアデータを記録、保存、管理及び／または共有、伝送及び／またはストリーミングする機能を制御する少なくとも一つのコンピュータモジュールＢであって、このモジュールＢはタッチスクリーン及び電源としてバッテリを含み、前記データ処理ユニットは人物確認を遮断及び／または防止する機能のコンピュータ映像アルゴリズムを含むものである、コンピュータモジュール；及び
− 少なくとも一つのマルチメディアデータ取得モジュールＡを少なくとも一つのコンピュータモジュールＢに連結する少なくとも一つの接続モジュールＣ１であって、この接続Ｃ１はＹ型ケーブル接続である接続モジュールを含む。
【００４０】
その他のさらに好ましい一具現例において、本発明のマルチメディアシステムは：
− マルチメディアデータ取得のためのデータ取得モジュールＡとしての本発明の少なくとも一つのマルチメディア眼鏡；及び／または
− データ処理ユニットを具備し、少なくとも一つのデータ取得モジュールＡで取得したマルチメディアデータを記録、保存、管理及び／または共有、伝送及び／またはストリーミングする機能を制御する少なくとも一つのコンピュータモジュールＢであって、このモジュールＢはタッチスクリーン及び電源としてバッテリを含み、前記データ処理ユニットは人物確認を遮断及び／または防止する機能のコンピュータ映像アルゴリズムを含むものである、コンピュータモジュール；
− 少なくとも一つのマルチメディアデータ取得モジュールＡを少なくとも一つのコンピュータモジュールＢに連結する少なくとも一つの接続モジュールＣ１であって、この接続Ｃ１はＹ型ケーブル接続であるものである接続モジュール；
− マルチメディアデータを保存、記録、処理、編集及び管理、及び／または共有するための少なくとも一つのマルチメディアデータ処理モジュールＤと、またフロッピーディスク、ＤＶＤ、ブルーレイ（Ｂｌｕ−Ｒａｙ）、ＣＤ、ＲＯＭ、ＰＲＯＭ、ＥＰＲＯＭ、ＥＥＰＲＯＭ及び／またはフラッシュ（ＦＬＡＳＨ）メモリなどのように、プログラム可能なコンピュータシステムと協働することができる電子式の読み取り可能な制御信号を有する少なくとも一つのデータ保存ユニットであるものである、前記データ処理モジュール及びデータ保存ユニット；
− 少なくとも一つのコンピュータモジュールＢを少なくとも一つのモジュールＤに連結する少なくとも一つの接続モジュールＣ２；及び／または
− モニタ、キーボード、プリンタ、遠隔制御装置及び／または遠隔サーバなどの一つ以上の周辺装置Ｐ；及び
− 少なくとも一つのコンピュータモジュールＢ及び／または少なくとも一つのマルチメディアデータ処理モジュールＤを前記一つ以上の周辺装置Ｐに連結する少なくとも一つの接続モジュールＣ３を含む。
【００４１】
最も好ましい一具現例において、本発明のマルチメディアシステムは：
− マルチメディアデータ取得のためのデータ取得モジュールＡとしての本発明の少なくとも一つのマルチメディア眼鏡；
− データ処理ユニットを具備し、少なくとも一つのデータ取得モジュールＡで取得したマルチメディアデータを記録、保存、管理及び／または共有、伝送及び／またはストリーミングする機能を制御する少なくとも一つのコンピュータモジュールＢであって、このモジュールＢはタッチスクリーン及び電源としてバッテリを含み、前記データ処理ユニットは人物確認を遮断及び／または防止する機能のコンピュータ映像アルゴリズムを含むものである、コンピュータモジュール；
− 少なくとも一つのマルチメディアデータ取得モジュールＡを少なくとも一つのコンピュータモジュールＢに連結する少なくとも一つの接続モジュールＣ１であって、この接続Ｃ１はＹ型ケーブル接続であるものである接続モジュール；及び
− マルチメディアデータを保存、記録、処理、編集及び管理、及び／または共有するための少なくとも一つのマルチメディアデータ処理モジュールＤと、またフロッピーディスク、ＤＶＤ、ブルーレイ（Ｂｌｕ−Ｒａｙ）、ＣＤ、ＲＯＭ、ＰＲＯＭ、ＥＰＲＯＭ、ＥＥＰＲＯＭ及び／またはフラッシュ（ＦＬＡＳＨ）メモリなどのように、プログラム可能なコンピュータシステムと協働することができる電子式の読み取り可能な制御信号を有する少なくとも一つのデータ保存ユニットである、前記データ処理モジュール及びデータ保存ユニット；
− 少なくとも一つのコンピュータモジュールＢを少なくとも一つのモジュールＤに連結する少なくとも一つの接続モジュールＣ２；及び／または
− モニタ、キーボード、プリンタ及び／または遠隔制御装置などの一つ以上の周辺装置Ｐ；及び
− 前記一つ以上の周辺装置Ｐを少なくとも一つのコンピュータモジュールＢ及び／または少なくとも一つのマルチメディアデータ処理モジュールＤに連結する少なくとも一つの接続モジュールＣ３を含む。
【００４２】
前述のように具体的に開示されていないが、下記で詳細に述べるシステムのモジュール間のまた他の組み合わせも本発明の範囲に含まれる。
【００４３】
２．データ取得モジュールＡ
データ取得モジュールＡは、第１例示の場合、記録用コンピュータモジュールＢに伝送或はストリーミングされるイメージ及び音響などのマルチメディアデータを取得するためのものである。本発明において、データ取得モジュールＡは高い差別性のマルチメディア記録物をキャプチャすることができる。
【００４４】
本発明の好ましい一具現例において、前記データ取得モジュールＡはカメラ、スピーカ及びマイクが一体化されたマルチメディア眼鏡である。
【００４５】
さらに好ましい一具現例において、前記データ取得モジュールＡは、例えば、図３に示されたような本発明によるマルチメディア眼鏡である。このようなマルチメディア眼鏡やスマート眼鏡は、フレーム１とレンズ１０、１１以外に、静止イメージ及び／または動的イメージをキャプチャすることができる少なくとも一つのカメラであって、前記カメラはフレーム及びレンズに対するカメラの位置角度を変更可能とする一つ以上のモータを具備するものであるカメラ；
少なくとも一つのスピーカとマイクを具備したオーディオシステム；
少なくとも一つの慣性センサ；
カメラの記録状態５に対して信号を発生するか、及び／またはカメラの視点を確認するための少なくとも一つの照明装置；
少なくとも一つの接続モジュールＣ１；及び何れの電源を含む。
【００４６】
その他のさらに好ましい本発明の一具現例において、マルチメディア眼鏡は少なくとも一つのカメラ、少なくとも一つのモータ８及び移動式プラットフォーム６上に位置した少なくとも一つの照明装置を含み、前記プラットフォームはコンピュータモジュールＢに連結時、カメラの位置角度を手動または自動で調節することができる。
【００４７】
最も好ましい一具現例において、マルチメディア眼鏡は、骨トランスデューサ型スピーカ２が具備されたオーディオシステムをさらに含む。
【００４８】
また他の好ましい一具現例において、マルチメディア眼鏡は、前述のプラットフォームの内部或はその外部に組み込まれたものであって、記録状態に対して信号を発生する少なくとも一つの光信号装置５及び６、例えば、ＬＥＤ、及び／またはカメラの視点を確認するための照明装置をさらに含む。
【００４９】
その他の更なる好ましい一具現例において、マルチメディア眼鏡は前述のプラットフォームの内部或はその外部に組み込まれたものであって、光信号装置から放出される光の焦点角度を変更することができ、またカメラの視野をズームイン及びズームアウト（拡大／縮小）することができる光学機構をさらに含む。
【００５０】
その他に更なる好ましい一具現例において、マルチメディア眼鏡は、眼鏡の保護レンズの後に装着された内部レンズが具備された防曇機構をさらに含む。保護レンズと前記防曇レンズとの間には薄い空気層が含有されており、このためにレンズの縁に接着材料を用いる。このような機構を利用すれば、保護レンズに排出水蒸気が凝結されることを遅延するか完全に防止することができ、これは保護レンズの後に装着された防曇レンズがより暖かいからである。
【００５１】
従って、最も好ましい具現例において、本発明のマルチメディア眼鏡は：
− 静止イメージや動的イメージをキャプチャするためにビデオカメラ（図示せず）が具備された配向性及びモータ駆動式プラットフォーム６、設定位置を調整するモータ８、ユーザの利用時に眼鏡の方向を決めてカメラの視点を予め定義したパラメータで自動的に調整する慣性センサ（図示せず）；
− 光信号装置から放出する光の焦点角度を変更することができ、またカメラの視野をズームイン及びズームアウトすることができる光学機構；
− マイク（図４に図示せず）が具備され、ユーザの音声をキャプチャしてユーザが記録位置に関する指示、例えば、記録モードを開始及び中止する指示を出し、カメラの視点を示す照明装置をオン又はオフし、音声ハイライトをビデオに付加することによりコンピュータモジュールＢを介してスマート眼鏡装置と相互疎通可能とするオーディオシステム；
− 防雲機構を具備したものであって、排出水蒸気がレンズに凝結することを防止してユーザに鮮やかな視野を提供するレンズ；及び
− 取得されたマルチメディアデータをコンピュータモジュールＢに伝送する少なくとも一つの接続モジュールを含む。
【００５２】
オーディオシステムの一部であるスピーカ型機構は、マイクを介して受けた指示に応じてコンピュータモジュールＢからユーザにフィードバックを提供し、偶発的及び不適切なコマンドが実行されることを防止するために、追ってどのようなコマンドが遂行されるか確認する。好ましくは、マイクと骨トランスデューサ型スピーカ２を利用するオーディオシステムは口頭連絡方式を創出することができる。
【００５３】
２．１  マルチメディア眼鏡：
例えば、図３に示すように、前述で既に部分的に述べた通り、データ取得モジュールＡの役割をする本発明のマルチメディア眼鏡は、マルチメディアデータを取得し、これをコンピュータモジュールＢに伝送することができる。
【００５４】
好ましくは、長期間用いることができるように軽量材質で製作され、人体工学的に設計されたこの眼鏡は、マルチメディア、ビデオ及びオーディオ記録装置を鼻梁部に組み込ませる。また、眼鏡の一部を耐水性或は防水性フィルムでコーティングすることもできる。
【００５５】
好ましくは、テンプル部３の末端に小型スピーカ２を設置して眼鏡をかけるユーザの側頭骨の骨突起と接触の際、好ましくは骨伝導経路を利用してコンピュータモジュールＢの情報を伝送する。
【００５６】
また、慣性センサをマルチメディア眼鏡、好ましくはテンプル部３の末端に設置する。このセンサは、ユーザの頭の位置を確認してマルチメディア眼鏡の利用可能なモード、例えば、手動記録モード及び風景記録モードなどを自動的に転換するためのものである。
【００５７】
例えば、前記マルチメディア眼鏡をコンピュータモジュールＢに連結するために、接続ケーブルのためのサポート形態及び／または通過経路を眼鏡フレームに提供することができる。
【００５８】
さらに、マルチメディア眼鏡は、例えば、ＬＥＤなど一つ以上の照明装置を起動するのに十分なエネルギを供給するために、バッテリをさらに含むことができる。
【００５９】
マルチメディア眼鏡はまた、マルチメディアデータ取得構成要素をサポート或は組み込むために及び／またはユーザとコンピュータモジュールＢとの間の相互疎通を容易にするためにプラットフォーム６をさらに含むことができる。
【００６０】
２．２  レンズ：
マルチメディア眼鏡のレンズ１０、１１は、課題を実施する際に、マルチメディアデータの取得だけでなく視力保護及び視力欠乏の矯正用途として前記マルチメディア眼鏡Ａを用いるために矯正レンズを必要とするユーザに合わせてカスタマイズすることができる。このレンズ１０、１１はマルチメディア眼鏡のフレーム１上の固定された位置に配置されることが好ましい。内部レンズを具備した防雲機構は、眼鏡の保護レンズの後に装着されることができる。前記内部レンズの縁に接着材料を用いることにより薄い空気層が保護レンズと防曇レンズとの間に含有される。
【００６１】
２．３  カメラ：
ビデオカメラは、好ましくは鼻梁に位置し、理想的には移動式プラットフォーム６上の照明装置と同様に配向され、カメラの各位置を垂直傾斜などに変更する機能性モータ８に依存する。
【００６２】
カメラ位置は音声コマンド及び／またはジェスチャで調整することができ、ユーザがカメラの視点を自分の視点に合わせて調整する。このようなコマンドを通じて、タッチ動作なしでコンピュータモジュールＢとの相互疎通が可能であり、多様な指示を出してカメラの全ての機能を分析することができる。
【００６３】
２．４  プラットフォーム：
マルチメディアデータキャプチャ装置、即ち眼鏡の鼻梁部に、モータ８が内部に組み込まれているので、移動可能なプラットフォーム６を設置することが好ましい。このプラットフォームはまたビデオカメラ及び少なくとも一つの照明装置、例えば、ＬＥＤをさらに含むことができる。好ましくは、光信号装置から放出する光の焦点角度を変更することができ、またカメラの視野をズームイン及びズームアウトすることができる光学機構が前記プラットフォームに配置される。
【００６４】
２．５  照明装置：
マルチメディア眼鏡は一つ以上の照明装置を含むことができる。これらは、眼鏡フレーム１の内部及び／またはプラットフォーム６上に組み込まれることができる。
【００６５】
好ましく、照明装置の中の一つは同一のプラットフォーム６にカメラと同じ角度で装着されたＬＥＤであり、カメラの視点を確認する機能がある。即ち、スポットライトは動画／写真撮影領域の位置を指す。
本発明のまた他の好ましい具現例は、眼鏡フレーム１の側面及び前面にある鮮かな可視的な光信号装置５、好ましくはＬＥＤの位置であって、この装置は記録モード及びマルチメディアデータの取得が進行中であることを信号で示す機能がある。
【００６６】
本発明の最も好ましい具現例において、スマート眼鏡は前述の照明装置の中の少なくとも一つを含む。
【００６７】
２．６  モータ：
モータ８は、好ましくは眼鏡の鼻梁部に配置され、カメラ及び照明装置と共にプラットフォーム６に結合され、マルチメディアデータ記録群の方向性を決定する。このモータは、モジュール（プラットフォーム、カメラ及び照明装置で構成された）に移動力を付与し、音声指示及び／またはジェスチャ指示により制御されるので手動調整が必要ではない。しかし、手動調整ももちろん可能である。
【００６８】
２．７  マイク：
好ましく、マイクはマルチメディア眼鏡Ａの鼻梁部及び鼻骨部と近い部位に配置される。マイクは適切なフィルム膜でコーティングすることができ、それにより、防水性或は耐湿性となり得る。マイクは、ユーザの音声指示をコンピュータモジュールに伝送して、必要に応じて眼鏡の機能性及び／または設定を調整することができる。また、口頭通信方式を創出することができる。
【００６９】
２．８  スピーカ：
好ましく、スピーカ２は側頭骨の突起と接触し、コンピュータモジュールからユーザに情報を伝送するために音響骨伝導経路（骨伝導）を用いる。また、口頭通信方式を容易に用いる。
【００７０】
２．９．慣性センサ：
このセンサは、好ましくは眼鏡のテンプル部３の一箇所に装着してユーザの頭の位置を確認することができるようにする。用いられる検閲法を適用する度に調整するデータキャプチャ群（プラットフォーム、カメラ及び照明装置）の予め設定された使用モードを、好ましくは自動的に交代させて機密データのキャプチャを制限する。イメージ安定化システムを創出することにも用いることができる。
【００７１】
２．１０  接続モジュールＣ１：
データ取得モジュールＡは、マルチメディアデータを受信、保存、記録、管理、共有、伝送及び／または受信されたマルチメディアデータをストリーミングするデータ処理機に対する少なくとも一つの形態の接続を含まなければならない。
【００７２】
この接続は、ケーブル、Ｗｉ−Ｆｉ、ブルートゥース、赤外線及び／またはデータ取得モジュールＡで取得したマルチメディアデータをデータ処理機、例えば、コンピュータモジュールＢのデータ処理ユニットに送信、共有、伝送及び／またはストリーミングすることができるようにする、その他の方式の接続形態からなることができる。
【００７３】
本発明の好ましい一具現例において、接続モジュールＣはコンピュータモジュールＢに対する接続Ｃ１を含む。より好ましい一具現例において、このようなコンピュータモジュールＢは本発明のコンピュータモジュールＢである。眼鏡ＡとコンピュータモジュールＢとの間の接続は、ケーブルを介して実行されて接続セキュリティ及びデータ機密性を向上することができる。電子ケーブルは眼鏡のテンプル部３を通過することが好ましい。
【００７４】
好ましくは、２つのケーブル群がフレームから始まって眼鏡の各テンプル部４の末端に配置され、ケーブルはテンプル部３の出口から所定の距離でＹ形態に再統合される（Ｙ型ケーブル接続）。さらに、ユーザは、Ｙ型ケーブルに沿ってスライド装置を調整することにより、テンプル部から抜け出た二つのケーブルが互いに接触する距離を減少させることができる。これは突然動く時、ユーザの頭に、或は眼鏡を落としやすい位置に眼鏡を置いた時の安全性が増加するという長所を提供する。
【００７５】
３．コンピュータモジュールＢ
３．１  処理ユニット：
コンピュータモジュールＢは、少なくとも一つのデータ取得モジュールＡの機能、即ち、データ取得モジュールＡで取得したマルチメディアデータを記録、保存、管理及び／または共有、伝送及び／またはストリーミングする機能を制御するデータ処理ユニット、タッチスクリーン及び／またはキーボード、及び電源及び／または電源接続部を含む。
【００７６】
前記コンピュータモジュールＢは、データ取得モジュールＡ及び／またはこのタッチスクリーン及び／またはキーボードを介してユーザが入力した指示に対応することができ、また認証者によりネットワーク、例えば、イントラネット及び／またはインターネットを介して遠隔で制御されることができる。
【００７７】
コンピュータモジュールＢはまた、少なくとも一つのマルチメディアデータ取得モジュールＡに連結させる少なくとも一つの接続モジュールＣ１を含む。
【００７８】
コンピュータモジュールＢはまた、前記コンピュータモジュールＢを少なくとも一つのマルチメディアデータ処理モジュールＢに連結する少なくとも一つの接続モジュールＣ２、及び／またはコンピュータモジュールＢを少なくとも一つ或はその以上の周辺装置Ｐに連結する少なくとも一つの接続モジュールＣ３をさらに含むことができる。
【００７９】
コンピュータモジュールＢは、好ましくは電源として前記コンピュータモジュールＢと、また好ましくはデータ取得モジュールＡに電力を供給するバッテリを含む。バッテリは充電型であり、また電源ソケットに連結した状態で電力を供給することができるので、コンピュータモジュールＢを携帯或は移動させることができる。
【００８０】
コンピュータモジュールＢのデータ処理ユニットを介して少なくとも一つのデータ取得モジュールＡの機能、特に、動画キャプチャ及びイメージ（写真）キャプチャの開始、中断及び再開或は関心対象位置をブックマークする機能を制御することができる。
【００８１】
本発明の好ましい一具現例において、コンピュータモジュールＢのデータ処理ユニットはコンピュータ映像アルゴリズム、例えば、人物確認を防止或は遮断する機能を備えた顔面検出装置を含むことにより、確認人物に関する機密データをキャプチャすることを避けることになる。
【００８２】
３．２  スクリーン：
コンピュータモジュールＢはまた、ユーザとこのデータ処理ユニットとの間の手動インタフェースモードを創出する好ましい機能があり、キャプチャしたマルチメディアコンテンツを鑑賞することができるスクリーンをさらに含むことができる。
【００８３】
このスクリーンは、好ましくは接触式或はタッチスクリーンであり、コンピュータモジュールＢの前面に配置されることができる。本発明のまた他の具現例において、このスクリーンは接触式ではなく、代案として、ユーザの指示をコンピュータモジュールＢに組み込まれたキーボードを介して入力することができるか、或は遠隔でユーザの指示入力を行うこともできる。
【００８４】
また他の好ましい具現例において、コンピュータモジュールＢはタッチスクリーンを含み、かつ遠隔で操作することもできる。コンピュータモジュールＢはまた、ケース或はフィルムでコーティングすることができ、これは、好ましくは耐水性或は水密性である。コンピュータモジュールＢはまた、セキュリティ及び／またはプライバシー保護目的のシール（ｓｅａｌ）をさらに含むこともできる。
【００８５】
３．３  接続モジュールＣ１、Ｃ２、Ｃ３：
コンピュータモジュールＢは、データ取得モジュールＡに対する少なくとも一つの形態の接続、例えば、接続モジュールＣ１、また受信されたマルチメディアデータを前記マルチメディアデータ処理モジュールＤが保存、記録、管理、共有、伝送及び／またはストリーミングすることができるようにするための少なくともマルチメディアデータ処理モジュールＤに対する接続、例えば、接続モジュールＣ２を具備する必要がある。また、少なくとも一つの周辺装置Ｐに連結するための接続、例えば、接続モジュールＣ３を含む。
【００８６】
接続モジュールＣ１の形態（Ｃ１型接続）は前述した通りである。Ｃ２型接続及びＣ３型接続は、Ｃ１型接続と同様にケーブル、Ｗｉ−Ｆｉ、ブルートゥース、赤外線及び／またはその他の接続形態で遂行されることができる。Ｃ２型接続は少なくともデータ取得モジュールＡが取得して少なくともコンピュータモジュールＢに含有されたマルチメディアデータをコンピュータモジュールＢが少なくとも一つのマルチメディアデータ処理モジュールＤ及び／または少なくとも一つの周辺装置Ｐに送信することができるようにする。
【００８７】
接続モジュールＣ３は、コンピュータモジュールＢがマルチメディアデータを少なくとも一つのマルチメディアデータ処理モジュールＤ及び／または少なくとも一つの周辺装置Ｐに送信及び／または受信、共有、伝送及び／またはストリーミングすることができるようにする。
【００８８】
選択的に、コンピュータモジュールＢは、外部コンピュータ、モニタ、プリンタ及び／または他のマルチメディアデータ処理モジュールＤなどの一つ以上の周辺装置Ｐに一つ以上の接続モジュールＣ３を含むことができる。
【００８９】
好ましく、Ｃ２型接続及びＣ３型接続は、Ｗｉ−Ｆｉ、赤外線及び／またはブルートゥースのような無線通信により行われる。
【００９０】
４．接続モジュールＣ
本発明のシステムは、少なくとも一つのデータ取得モジュールＡと少なくとも一つのコンピュータ化モジュールＢとを連結する少なくとも一つの形態、例えば、Ｃ１型接続を含む必要がある。
【００９１】
好ましく、本発明のシステムは二種類の接続、即ち：（ｉ）Ｃ１型接続であって、データ取得モジュールＡとコンピュータモジュールＢとの間のマルチメディアデータ伝送のための接続；及び（ｉｉ）Ｃ２型接続であって、コンピュータモジュールＢとマルチメディア処理モジュールＤとの間のマルチメディアデータの共有、伝送及び／またはストリーミングのためのまた他の接続を含む。
【００９２】
選択的に、本発明のシステムは、また他の接続、例えば、（ｉｉｉ）Ｃ３型接続であって、前記モジュールの中のいずれか（Ａ、Ｂ或はＤ）と少なくとも一つ以上の周辺装置Ｐ、例えば、外部モニタ、遠隔制御装置、プリンタ、遠隔サーバなどの間のマルチメディアの共有、伝送及び／またはストリーミングを可能とする接続を含む。
【００９３】
本発明の範囲において、マルチメディアデータの伝送とは、また前記データを受信、送信、共有及び／またはストリーミングすることを意味する。
【００９４】
これらの接続は、ケーブル、Ｗｉ−Ｆｉ、ブルートゥース、赤外線或は前記モジュールの間でマルチメディアデータを送信及び受信、伝送、共有及び／またはストリーミングすることができるようにする形態のその他の接続を介してなされることができる。
【００９５】
５．マルチメディアデータ処理モジュールＤ
処理モジュールＤは、マルチメディアデータの保存、記録、処理、編集、管理及び／または共有のためのデータ処理ユニットを含む。本発明の範囲において、前記マルチメディアデータ処理モジュールＤは、例えば、遠隔サーバ、コンピュータ、携帯型或は移動型コンピュータ、ラップトップ、ノートパンコン、タブレット或はマルチメディアデータを保存、処理、管理、編集及び／または共有することができるその他の装置であってもよい。
【００９６】
マルチメディアデータ処理モジュールＤはまた、前記マルチメディアデータ処理モジュールＤを少なくとも一つのコンピュータモジュールＢに連結するためのコンピュータモジュールＢに対する少なくとも一つの形態の接続モジュールＣ２、及び／または前記マルチメディアデータ処理モジュールＤを少なくとも一つの周辺装置Ｐ、例えば、モニタ、キーボード、遠隔制御装置、プリンタ、遠隔サーバなどに連結する少なくとも一つの接続モジュールＣ３を含む。
【００９７】
また、マルチメディアデータ処理モジュールＤは、マルチメディア取得、登録及び／または管理方法を行うためのコンピュータプログラムを含み、この方法は：
（ａ）少なくとも一つのデータ取得モジュールＡからマルチメディアデータを取得し；
（ｂ）少なくとも一つのモジュールＡで取得したデータを接続モジュールＣ１を介して少なくとも一つのコンピュータモジュールＢに送信、伝送及び／またはストリーミングし；
（ｃ）接続モジュールＣ２を介して少なくとも一つのコンピュータモジュールＢから少なくとも一つの処理モジュールＤにデータを送信、共有、伝送及び／またはストリーミングし；
（ｄ）受信されたマルチメディアデータを少なくとも一つの処理モジュールＤ及び／または、例えば、フロッピーディスク、ＤＶＤ、ブルーレイ（Ｂｌｕ−Ｒａｙ）、ＣＤ、ＲＯＭ、ＰＲＯＭ、ＥＰＲＯＭ、ＥＥＰＲＯＭ或はフラッシュメモリなどのように、プログラム可能なコンピュータシステムと協働することができる電子式の読み取り可能な制御信号を有する少なくとも一つのデータ保存ユニットに保存、登録、処理、編集及び／または管理し；
（ｅ）選択的に、前記マルチメディアデータを接続モジュールＣ３を介して少なくとも一つの周辺装置Ｐ及び／または少なくとも一つの他の処理モジュールＤに共有、伝送及び／またはストリーミングし；
（ｆ）選択的に、マルチメディアデータライブラリＭＬを創出するステップを含む。
【００９８】
マルチメディアデータ処理モジュールＤは、フロッピーディスク、ＤＶＤ、ブルーレイ、ＣＤ、ＲＯＭ、ＰＲＯＭ、ＥＰＲＯＭ、ＥＥＰＲＯＭ及び／またはフラッシュメモリなどのように、プログラム可能なコンピュータシステムと協働することができる電子式の読み取り可能な制御信号を有する少なくとも一つのデータ保存ユニットをさらに含むことができる。
【００９９】
選択的に、マルチメディアデータ処理モジュールＤは、少なくとも一つのデータ取得モジュールＡにより優先的に取得したマルチメディアデータを有するマルチメディアデータライブラリＭＬをさらに含む。
【０１００】
６．マルチメディアデータライブラリＭＬ
本発明のマルチメディアデータライブラリＭＬは、従来のサポート及び／またはデジタルサポートを受けることができる、例えば、フロッピーディスク、ＤＶＤ、ブルーレイ、ＣＤ、ＲＯＭ、ＰＲＯＭ、ＥＰＲＯＭ、ＥＥＰＲＯＭ及び／またはフラッシュメモリなどのように読み取り機及び／またはマルチメディアデータプロセッサが電子読み取り可能なデータ保存ユニットに記録されることができるマルチメディアデータを含み、このようなマルチメディアデータは、好ましくはマルチメディアデータ取得モジュールＡ、好ましくは本発明のマルチメディア眼鏡を利用してマルチメディアイベント記録から収得したものである。
【０１０１】
本発明の好ましい一具現例において、マルチメディアデータは、介入対象の確認を防止及び／または遮断、顔面確認の防止及び／または遮断、音声確認の防止及び／または遮断などを含む確認遮断の処理対象となる。
【０１０２】
また他の好ましい具現例において、マルチメディアデータライブラリＭＬは、公知の手段、例えば、ユーザのパスワード及び／またはサーバのパスワード及び／または接続を制限するためにライブラリに導入されたメタデータの類似−仮名化などの方法でセキュリティされている。
【０１０３】
現在、マルチメディアデータライブラリＭＬのコンテンツ全体或は選択された一部をネットワーク上の１人以上の会員或は前記ライブラリＭＬに対するアクセス権限を有した予め定義されたコミュニティと共有することができる。
【０１０４】
７．マルチメディア取得、登録及び管理方法
本発明によるマルチメディア取得、登録及び／または管理方法は次のようなステップ、即ち：
（ａ）少なくとも一つのコンピュータモジュールＢにより制御されるマルチメディア眼鏡形態のデータ取得モジュールＡからマルチメディアデータを取得し；
（ｂ）少なくとも一つのモジュールＡで取得した前記データを接続モジュールＣ１を介して少なくとも一つのコンピュータモジュールＢに送信、伝送及び／またはストリーミングし；
（ｃ）選択的に、少なくとも一つの接続モジュールＣ２を介して少なくとも一つのコンピュータモジュールＢから少なくとも一つの処理モジュールＤに前記データを送信、共有、伝送及び／またはストリーミングし；
（ｄ）選択的に、受信されたマルチメディアデータを少なくとも一つの処理モジュールＤ及び／または、例えば、フロッピーディスク、ＤＶＤ、ブルーレイ（Ｂｌｕ−Ｒａｙ）、ＣＤ、ＲＯＭ、ＰＲＯＭ、ＥＰＲＯＭ、ＥＥＰＲＯＭ或はフラッシュメモリなどのように、プログラム可能なコンピュータシステムと協働することができる電子式の読み取り可能な制御信号を有する少なくとも一つのデータ保存ユニットに保存、登録、処理、編集及び／または管理し；
（ｅ）選択的に、前記マルチメディアデータを少なくとも一つのモジュールＤから接続モジュールＣ３を介して少なくとも一つの周辺装置Ｐ及び／または少なくとも一つの他の処理モジュールＤに共有、伝送及び／またはストリーミングし；及び／または
（ｆ）選択的に、マルチメディアデータライブラリＭＬを創出するステップを含む。
【０１０５】
本発明の好ましい一具現例において、データ取得モジュールＡは、セクション２．で述べたようなマルチメディア眼鏡である。また他の好ましい具現例において、コンピュータモジュールＢは、セクション３．で述べた通りである。
【０１０６】
本発明のまた他の好ましい具現例において、接続モジュールＣ１、Ｃ２及び／またはＣ３は、セクション．４で述べた通りである。
【０１０７】
また他の好ましい具現例において、マルチメディアデータ処理モジュールＤは、セクション５．で述べた通りである。
【０１０８】
また他の好ましい具現例において、マルチメディアデータライブラリＭＬは、セクション６．で述べた通りである。
【０１０９】
最も好ましい具現例において、本発明の方法は前述の好ましい具現例の中の二つ以上の組み合わせを含む。
【０１１０】
実施例
実施例１：腹腔鏡検査におけるマルチメディアデータ取得及び登録方法
この実施例において、本発明のマルチメディアシステムは図３に示すように、データ取得モジュールＡとしてスマート眼鏡ユニット、コンピュータモジュールＢ及びマルチメディアデータ処理モジュールＤを含む。
【０１１１】
頭に装着したデータ取得モジュールＡを利用して、ユーザは：
１．次を利用して記録を開始し、即ち、
ａ．予め定義及び個人化された活性化表現で開始する音声コマンドと次いで記録を開始するように指示する適切なコマンド、及び／または
ｂ．コンピュータモジュールＢに配置されたタッチスクリーンインタフェースを利用して記録を開始し；
２．既に活性状態の場合、即ち、腹腔鏡検査中であれば、頭を中立位置において腹腔鏡スクリーンを見つめることにより、予め設定された記録モードを簡単に変更し、データ取得モジュールＡに搭載された慣性センサを利用してコンピュータモジュールＢが頭の傾斜に対する情報を取得することができ、所定時間の後、予想される外科医の視点に合わせてカメラの方向を変更し；
３．記録中にブックマークを追加することにより、前記処理モジュールＤが記録データの観点を自動に確認することができる。これらのブックマークは、予め定義及び個人化された活性化表現を利用する音声コマンドと次いでブックマーク及びその番号を追加するように指示する適切なコマンドに応じて追加されることができ；
４．音声コマンドが活性化される度にコンピュータモジュールＢからのオーディオフィードバックがユーザに付与され、フィードバック後に実行するコマンドに対する情報をユーザに提供することによりコマンド後の誤解を防止する。
【０１１２】
腹腔鏡検査中に効果的に登録される関心領域には、腹腔鏡モニタＰが含まれなければならない。イメージの境界部はモニタＰのみが含まれたデジタルズームを利用して暗く処理するか、完全に消去することができる。
【０１１３】
コンピュータ映像アルゴリズムは、ユーザが首の筋肉を弛緩し、カメラの視点を意図せずに変更する時、慣性センサを介して敏感なデータ、例えば、顔面部が含まれている領域を検閲するのに役立てることができる。
【０１１４】
機密データが含まれた環境で記録作業を行う時、本実施例の場合のように、予め定義及び個人化された活性化コード或は表現を利用する音声コマンドと次いで前記記録作業を終了するように指示する適切なコマンドを介して前記記録作業を終了させなければならない。
【０１１５】
実施例２：腹腔鏡検査におけるマルチメディアデータ取得及び登録方法
この実施例において、マルチメディアシステムは前述したものと同じモジュールを含む。
【０１１６】
頭に装着したデータ取得モジュールＡを利用して、ユーザは：
１．次を利用して記録を開始する；即ち、
ａ．予め定義及び個人化された活性化文章による音声コマンドと次いで記録を開始するコマンド、及び／または
ｂ．コンピュータモジュールＢに具備されたタッチスクリーンインタフェースを利用して記録を開始し；
２．既に活性状態の場合、即ち、腹腔鏡検査中であれば、頭を手術部位の方に下げて予め設定された記録モードを簡単に変更する。眼鏡に組み立て配置された慣性センサを利用してコンピュータモジュールＢが頭の方向に対する情報を取得することができ、所定時間の後、例えば５秒後、外科医の視線に沿ってカメラを下向き傾斜移動し；
３．記録中に、マルチメディアデータ処理モジュールＤのビデオエディターが追って読み取ることができて、ブックマークを追加することにより、記録された場面で最も密接な関連部分をさらに容易に探し出すことができる。これらの標識は、予め定義及び個人化された活性化文章を利用する音声コマンドと次いでブックマーク及び関連番号を創出するように指示する特定のコマンドに応じて追加されることができ；
４．音声コマンドが活性化される度にコンピュータモジュールＢからのオーディオフィードバックがユーザに付与され、フィードバック後に実行するコマンドに対する情報をユーザに提供することによりコマンド後の誤解を防止する。
【０１１７】
このような予め設定された操作モードにおいて、カメラの記録領域の中に顔面が存在し得る。このような場合、顔面検出アルゴリズムでこれを検閲して手術の際、カメラに見える顔及び手術室にいるスタッフのプライバシーを保護する。記録が終了すると、外科医は予め定義及び個人化された活性化コード或は表現を利用する音声コマンドと次いで記録を中止するコマンドを登録することができる。
【０１１８】
実施例３：工芸作業、修理或はその他の手作業時におけるマルチメディアデータ取得及び登録方法
ユーザの頭に装着した眼鏡を利用して、ユーザは：
１．次を利用して、即ち、
ａ．予め定義及び個人化された活性化文章を介した音声コマンドと次いで記録を開始するコマンド、及び／または
ｂ．コンピュータモジュールＢに配置されたタッチスクリーンインタフェースを利用して記録を開始し；
２．次を利用して、即ち：
ａ．予め定義及び個人化された活性化文章を利用する音声コマンドと次いで所望の移動を指示するコマンドを利用し；及び／または
ｂ．コンピュータモジュールＢに配置されたタッチスクリーンインタフェースを利用して、作業領域が焦点の中に入るように範囲を拡大しながらカメラの方向を変更する。
ユーザはコンピュータモジュールＢに配置されたスクリーンを見つめるか、或は照明機構の照明を受けた領域を確認することにより、焦点に合わせた領域に対するフィードバックを受けることができる。
３．後続のステップでビデオエディターが読み取り可能なブックマークをビデオ記録に追加することにより、ビデオの最も密接な関連部分を適時にさらに容易に探し出すことができる。これらの標識（ｍａｒｋｅｒ）は：
ａ．予め定義及び個人化された活性化コード或は表現を利用する音声コマンドと次いで特定のコマンドを利用し、及び／または
ｂ．コンピュータモジュールＢに具備されたタッチスクリーンインタフェースを利用して挿入することができる。
【０１１９】
ユーザは予め定義及び個人化された活性化文章を介した音声コマンドと次いで特定のコマンドを利用するか、或はタッチスクリーンインタフェースを利用して記録作業を終了する。
【０１２０】
実施例４：前述の実施例と同様に遠隔位置にコンテンツを無線伝送（ストリーミング）する方法
ユーザは次を利用してコンテンツを無線伝送することができる。即ち：
１．コンテンツを企業内のネットワークにおいてリアルタイムで共有する会議に最適なものであって、コンピュータモジュールＢにより創出及び管理される無線ネットワークを利用する。このような機能を利用するために、ユーザはコンピュータモジュールＢのスクリーンに表示されたネットワークの名称とパスワードを知っていなければならない。
及び／または
２．インターネットを介して遠隔位置に伝送する。この特徴を実現するために、ユーザはコンピュータモジュールＢに連結されたネットワーク管理者と連絡して関心対象人物と共有するための公開チャンネル（Ｐｕｂｌｉｃ  ａｄｄｒｅｓｓ）を設けなければならず、それによりストリーミングされたコンテンツを読み取るために具備されたマルチメディアクライアントに前記コンテンツを可視的に示すことができる。場合によって、ユーザは放送コンテンツを映像化するために認証手順を必要とすることもできる。
【０１２１】
実施例５：マルチメディアデータライブラリＭＬの創出、編集及び管理方法
ビデオ処理ソフトウェア（図５．４）を利用すれば、ユーザが最も高い関連性のある記録部分を選択することができるが、この作業は記録時に挿入されたブックマークを利用すれば容易であり、また認証後にのみアクセスすることができる類似−仮名化及び暗号化されたフォーマットで挿入されたメタデータと共に保存される。
【０１２２】
ユーザはパスワード及び理想的にはモバイルフォンで受信した暗号コードを利用する二重認証によって認証手順を経りながら作業を開始する。医者が医療手術法を記録するためにカード読み取り機と共に使用時、自分の医療診断書で認証することもできる。
【０１２３】
マルチメディアデータ処理モジュールＤに連結されたコンピュータモジュールＢを利用すると、ユーザは認証後：
１．ａ．一つ以上の関連メタデータ（図５．５）で記録を調査し；及び／または
ｂ．保存された全てのメタデータを収集したデータに対して問い合わせることにより構築された記録物ライブラリを検索し、
２．新たな記録をライブラリに入力して（図５．２）これに関連するメタデータを特定化することができる（図５．３）。外科手術の登録範囲において、このようなメタデータは患者名、手術手順、手術日付、場所、観察研究などを含むことができる。
【０１２４】
実施例６：手術室で用いるための理想的なスマート眼鏡システムを具備したマルチメディアシステム
眼鏡フレーム（図３）を含んで頭に装着することができる装置（モジュールＡ）は、ユーザの後頭側で互いに結合された一対のＹ型ケーブル組立体を介してコンピュータモジュール（モジュールＢ）に連結され、この装置を用いる間さらに高い安定性と安全性を付与する。次のような小段落は前記眼鏡の特別な特徴について述べたものである：
６．１：モジュールＡは、回転式プラットフォーム６に装着された鼻梁部に配置されたカメラを具備する。
６．２：モジュールＡは、カメラと同様に同じプラットフォーム６に装着されたＬＥＤ光源を具備して視野を照明し、記録対象領域に対してユーザにフィードバックを提供する。
６．３：モジュールＡは、カメラと光源が装着されたプラットフォームの後方に配置されて垂直及び水平にプラットフォームを回転させるモータ装置８を具備する。
６．４：モジュールＡは、ＬＥＤから放出される光の焦点角度を変更し、カメラの視野をズームイン及びズームアウトする光学機構を具備する。
６．５：モジュールＡは、前記眼鏡フレーム本体の正面において左側或は右側の末端に装着された状態確認ＬＥＤ５を具備して他人に装置の記録状態に対してフィードバックすることができる。
６．６：モジュールＡは、フレーム２の右側アームの背面部に配置された骨トランスデューサ（ＢＣＴ）を具備して右側耳の裏側で側頭骨の突起と接触する。従って、外耳道が自由であり、通常のスピーカを用いる場合に守れなかったプライバシーを保護保持することができる。このような機構により、本装置を用いる間、手術室内部の通信は妨害されない。
６．７：モジュールＡは、カメラ、ＬＥＤ及びモータ組立体の右側或は左側に装着されたマイクを具備し、それによりユーザはオーディオを録音することができ、また装置に音声コマンドを出すことができる。
６．８：モジュールＡは、前面部のマイクの隣に配置された慣性センサを具備して眼鏡フレームの傾斜度及び結果的にはユーザの頭の傾斜度を検出することができる。
６．９：モジュールＡはユーザの目の前面部に保護レンズ１０、１１を具備する。ユーザの視力矯正が必要な場合、これらのレンズが自体的に行う。
６．１０：モジュールＡは保護レンズの後に装着した防曇レンズを具備する。
６．１１：モジュールＢは、ユーザが設定、記録開始及び中断、プレビューなどのように装置と相互疎通するために用いることができるタッチスクリーンを具備する。
６．１２：モジュールＢは、装置の全てのシステムに最大１２時間まで電源を供給するためのバッテリを具備する。
６．１３：モジュールＢは、記録されたメディアの保存及び処理を担当し、装置内の多数のハードウェアの下位システムを制御するための処理ユニットを具備する。
６．１４：モジュールＢは、記録対象メディアをストリーミングするためにＷｉ−Ｆｉネットワーク及び／またはブルートゥース技術を利用して他の装置と連結されることができる。
【０１２５】
実施例７：外部電源を用いるスマート眼鏡搭載のマルチメディアシステム
実施例６に述べられたものと同じ一般的特徴を有する前記装置は、モジュールＢ及び電気プラグや発電機のような電源に連結された電気線を介して電力が供給される。前記のような電源の電力を用いることができれば、前記装置の通常的な自律性は制限されない。
【０１２６】
実施例８：腰に装着する小型スマート眼鏡搭載のマルチメディアシステム
実施例６に述べられたものと同じであり、モジュールＢの処理ユニットはモジュールＡの眼鏡フレームの両側アームの中の一つに移動配置され、またモジュールＢのタッチスクリーンは省略する。また前記フレームのそれぞれのアームから抜け出た２つのケーブルは、過去にはモジュールＢがあった場所に配置されたバッテリから電力を伝達することにより、結果的にモジュールＢの重量及び大きさを減少させることができ、また、この装置のフレームから抜け出たケーブルの重量及び厚さも減少させることができる。
【０１２７】
実施例９：外部電源を具備し、腰に装着する必要のないスマート眼鏡搭載のマルチメディアシステム
実施例８に述べられたものと同じ一般的な特徴を有し、前記バッテリをまた他の電源、例えば、電気プラグや発電機で代替する。前記のような電源の電力を用いることができれば、前記装置の通常的な自律性は制限されず、モジュールＢは全く必要でない。
【０１２８】
実施例１０：口の近くにマイクを具備したスマート眼鏡搭載のマルチメディアシステム
実施例６に述べられたものと同じ一般的な特徴を有し、マイクが口の近くに配置され、調整及び着脱可能な支持台（ｂｅａｍ）上に装着されて記録及び認知のためのより優れた品質の音声をキャプチャすることができるが、ユーザが必要とするある種類のマスク及びその他の顔面保護物とは併用することができないという短所がある。
【０１２９】
実施例１０：ＢＣＴの代わりにイヤホンを用いるスマート眼鏡搭載のマルチメディアシステム
実施例６に述べられたものと同じ一般的な特徴を有し、ＢＣＴをイヤホンで代替するのでユーザの作業に外耳道が重要でなくなる。
【０１３０】
実施例１１：光学ズームが含まれないスマート眼鏡搭載のマルチメディアシステム
実施例６に述べられたものと同じ一般的な特徴を有し、光学機構が存在せず、従ってＬＥＤから放出される光の焦点角度が固定され、カメラズームの操作はデジタル方式で行われる。
【０１３１】
実施例１１：防雲視力矯正レンズを有するスマート眼鏡搭載のマルチメディアシステム
実施例６に述べられたものと同じ一般的な特徴を有し、保護レンズの代わりに防曇レンズを利用して視力矯正を行う。
【０１３２】
実施例１２：カメラ及びＬＥＤプラットフォームを垂直にのみ作動させるスマート眼鏡搭載のマルチメディアシステム
実施例６に述べられたものと同じ一般的な特徴を有し、カメラ及びＬＥＤプラットフォーム後方のモータ装置がプラットフォームを垂直にのみ回転させることができる。
【０１３３】
実施例１３：カメラ及びＬＥＤプラットフォームを水平にのみ作動させるスマート眼鏡搭載のマルチメディアシステム
実施例６に述べられたものと同じ一般的な特徴を有し、カメラ及びＬＥＤプラットフォーム後方のモータ装置がプラットフォームを水平にのみ回転させることができる。
【図１】
2020509522.tif 000003
【図２】
2020509522.tif 000004
【図３】
2020509522.tif 000005
【図４】
2020509522.tif 000006
【図５．１】
2020509522.tif 000007
【図５．２】
2020509522.tif 000008
【図５．３】
2020509522.tif 000009
【図５．４】
2020509522.tif 000010
【図５．５】
2020509522.tif 000011
【図５．６】
2020509522.tif 000012
【国際調査報告】
2020509522.tif 000013
2020509522.tif 000014
2020509522.tif 000015